(57)【要約】  皮膚下の細胞の新陳代謝を促進させ、細胞を活性化させることができるだけの陰圧を皮膚下に生じさせることができる、極めて簡易な構造で、使用も容易な皮膚下陰圧維持具である。皮膚下陰圧維持具（１）は、皮膚（Ｓ）に貼り付けておく貼着部（１０）と、皮膚（Ｓ）に貼り付けた貼着部（１０）の上から被せるように皮膚（Ｓ）の上に置いて貼着部（１０）を所定位置に保持するための保持部（２０）と、を有し、皮膚（Ｓ）に貼り付けたままの貼着部（１０）を持ち上げた状態に保持部（２０）で所定位置に保持し、持ち上げた皮膚（Ｓ）下に陰圧が生じた状態を維持する。
2009125837.tif 000002
【特許請求の範囲】
【請求項１】
皮膚（Ｓ）下に陰圧が生じた状態を維持して、皮膚（Ｓ）下の細胞の新陳代謝を促進させる皮膚下陰圧維持具（１）であって、
皮膚（Ｓ）に貼り付けておく貼着部（１０）と、皮膚（Ｓ）の上に置いて前記貼着部（１０）を所定位置に保持するための保持部（２０）と、を有し、
皮膚（Ｓ）に貼り付けたままの前記貼着部（１０）を持ち上げた状態に前記保持部（２０）で前記所定位置に保持して、前記持ち上げた皮膚（Ｓ）下に陰圧が生じた状態を維持する皮膚下陰圧維持具（１）。
【請求項２】
皮膚（Ｓ）下に陰圧が生じた状態を維持して、皮膚（Ｓ）下の細胞の新陳代謝を促進させる皮膚下陰圧維持具（１）であって、
皮膚（Ｓ）に貼り付けておく貼着部（１０）と、皮膚（Ｓ）に貼り付けた前記貼着部（１０）の上から被せるように皮膚（Ｓ）の上に置いて前記貼着部（１０）を所定位置に保持するための保持部（２０）と、を有し、
前記貼着部（１０）は、皮膚（Ｓ）に接着させる接着面と、前記保持部（２０）に支持される被支持部（１２）とを有し、
前記保持部（２０）は、前記貼着部（１０）の被支持部（１２）を支持して前記貼着部（１０）を前記所定位置に保持する支持部（２３）を有し、
皮膚（Ｓ）に貼り付けたままの前記貼着部（１０）を持ち上げ、前記保持部（２０）の支持部（２３）で前記貼着部（１０）の被支持部（１２）を支持して前記貼着部（１０）を前記所定位置に保持して、前記持ち上げた皮膚（Ｓ）下に陰圧が生じた状態を維持する皮膚下陰圧維持具（１）。
【請求項３】
前記貼着部（１０）は、プレート（１１）の片面に前記接着面を有し、もう一方の面に前記被支持部（１２）を有するものであり、
前記保持部（２０）は、皮膚（Ｓ）に置かれる下部（２１）と、前記貼着部（１０）の被支持部（１２）を支持する支持部（２３）が形成された上部（２２）とを有するものであり、
皮膚（Ｓ）に貼り付けた前記貼着部（１０）は、前記保持部（２０）の下部（２１）と上部（２２）との間で前記所定位置に保持されることを特徴とする請求項２に記載の皮膚下陰圧維持具（１）。
【請求項４】
前記貼着部（１０）の被支持部（１２）は、側面に少なくとも１つの係止溝（１２ａ）が刻設されており、
前記保持部（２０）の支持部（２３）は、前記被支持部（１２）を挿通可能な係止開口（２３ａ）を有し、
前記被支持部（１２）と前記係止開口（２３ａ）とは、前記被支持部（１２）を前記係止開口（２３ａ）に挿通した前記貼着部（１０）と前記保持部（２０）とを相対変位させると、前記被支持部（１２）の係止溝（１２ａ）と前記保持部（２０）の係止開口（２３ａ）の周縁とが係止して、前記貼着部（１０）を前記所定位置に保持可能となることを特徴とする請求項２または３に記載の皮膚下陰圧維持具（１）。
【請求項５】
前記貼着部（１０）の被支持部（１２）は、棒状または紐状に延びたものであり、
前記保持部（２０）の支持部（２３）は、前記被支持部（１２）を挿通可能な挿通口を有し、
前記挿通口を通した前記被支持部（１２）に取り付けて、持ち上げた貼着部（１０）が戻らないように止めておく、前記挿通口を通過しない大きさの止め具を備えたことを特徴とする請求項２から４のいずれか一項に記載の皮膚下陰圧維持具（１）。
【請求項６】
皮膚（Ｓ）下に陰圧が生じた状態を維持して、皮膚（Ｓ）下の細胞の新陳代謝を促進させる皮膚下陰圧維持具（１Ａ）であって、
皮膚（Ｓ）に貼り付けておく貼着部（１０）と、皮膚（Ｓ）の上に置いて前記貼着部（１０）を所定位置に保持するための保持部（２０Ａ）と、を有し、
前記貼着部（１０）は、皮膚（Ｓ）に接着させる接着面を有し、該接着面が前記保持部（２０Ａ）の上部（２２Ａ）と下部（２１）との間に位置するように、前記保持部（２０Ａ）に固定され、
前記保持部（２０Ａ）は弾性を有するものであり、
前記接着面を皮膚（Ｓ）に貼り付けたままの前記貼着部（１０）を前記保持部（２０Ａ）の弾性に因る復元力によって前記所定位置まで持ち上げた状態に保持して、前記持ち上げた皮膚（Ｓ）下に陰圧が生じた状態を維持する皮膚下陰圧維持具（１Ａ）。
【請求項７】
皮膚（Ｓ）下に陰圧が生じた状態を維持して、皮膚（Ｓ）下の細胞の新陳代謝を促進させる皮膚下陰圧維持具（１Ａ）であって、
皮膚（Ｓ）に貼り付けておく貼着部（１０）と、皮膚（Ｓ）に貼り付けた前記貼着部（１０）を所定位置に保持するための保持部（２０Ａ）と、を有し、
前記貼着部（１０）は、皮膚（Ｓ）に接着させる接着面を一端に設け、もう一端が前記保持部（２０Ａ）の上部（２２Ａ）に固定された固定部（１２Ａ）を有し、
前記接着面は、前記保持部（２０Ａ）の上部（２２Ａ）と皮膚に置かれる下部（２１）との間に位置し、
前記保持部（２０Ａ）は弾性を有するものであり、
前記接着面を皮膚（Ｓ）に貼り付けたままの前記貼着部（１０）を前記保持部（２０Ａ）の弾性に因る復元力によって前記所定位置まで持ち上げた状態に保持して、前記持ち上げた皮膚（Ｓ）下に陰圧が生じた状態を維持する皮膚下陰圧維持具（１Ａ）。
【請求項８】
前記固定部（１２Ａ）が固定された前記保持部（２０Ａ）の上部（２２Ａ）は、前記下部（２１）から離れる方向に突き出た形状であることを特徴とする請求項７に記載の皮膚下陰圧維持具（１Ａ）。
【請求項９】
皮膚（Ｓ）下に陰圧が生じた状態を維持して、皮膚（Ｓ）下の細胞の新陳代謝を促進させる皮膚下陰圧維持具（１Ｂ）であって、
皮膚（Ｓ）に貼り付けておく貼着部（１０Ｂ）と、皮膚（Ｓ）の上に置いて前記貼着部（１０Ｂ）を所定位置に保持するための保持部（２０Ｂ）と、からなり、
前記保持部（２０Ｂ）は弾性を有するものであり、
前記貼着部（１０Ｂ）は、前記保持部（２０Ｂ）の上部（２２Ｂ）のうち皮膚（Ｓ）上に置いた前記保持部（２０Ｂ）が皮膚に対向する側の天井面（２５）に設けられた接着面を有し、
前記接着面を皮膚（Ｓ）に貼り付けたままの前記貼着部（１０Ｂ）を前記保持部（２０Ｂ）の弾性に因る復元力によって前記所定位置まで持ち上げた状態に保持して、前記持ち上げた皮膚（Ｓ）下に陰圧が生じた状態を維持する皮膚下陰圧維持具（１Ｂ）。
【請求項１０】
前記貼着部（１０，１０Ｂ）の接着面は、皮膚（Ｓ）を接着するための接着剤が塗布されていることを特徴とする請求項２から９のいずれか一項に記載の皮膚下陰圧維持具（１，１Ａ，１Ｂ）。
【請求項１１】
前記貼着部（１０，１０Ｂ）の接着面は、皮膚（Ｓ）を接着するための接着テープが貼り付けられることを特徴とする請求項２から９のいずれか一項に記載の皮膚下陰圧維持具（１，１Ａ，１Ｂ）。
【発明の詳細な説明】
【技術分野】
【０００１】
本発明は、皮膚を持ち上げて皮膚下に陰圧が生じた状態を維持して、陰圧が生じている皮膚下の細胞の新陳代謝を促進させ、細胞を活性化させる皮膚下陰圧維持具に関する。
【背景技術】
【０００２】
従来の技術で皮膚を持ち上げた状態を維持することによって皮膚下に陰圧の生じた状態を維持し、それによって皮膚下の細胞の新陳代謝を促進させるものは知られていないが、皮膚の所定範囲を密閉空間に晒し、その密閉空間を減圧して陰圧を生じさせるものとして特許文献１に示すようなものがある。【０００３】
すなわち、気体に対して不浸透性の剛性を有する覆いを患者の創傷部位上に被せて、その覆いと皮膚との間に形成されるキャビティ内の空気から酸素を取り除いてキャビティ内を密閉減圧することでキャビティ内に陰圧を生成し、これにより創傷の治癒を促進させようとするものである。【０００４】
また、剛性の覆いに代えてゴム製の覆いを用い、創傷を覆う位置に置いた覆いを押圧することによってキャビティ内の空気を外部に押し出してキャビティ内を減圧し、これにより、キャビティ内に陰圧を生成して創傷の治癒を促進させようとするものである。【０００５】
また、他の従来技術として一般に吸い玉あるいは吸角等として知られている医療器具がある。これは、ガラス等で作られたカップを皮膚に吸い付けて、うみ・悪血等を吸い出すものがある。これは皮膚とカップとで閉ざされた密閉空間内に大きな陰圧を生じさせて、皮膚をカップ内に相当程度吸引することができる。
【先行技術文献】
【特許文献】
【０００６】
【特許文献１】特表２００７−５０９６３９号公報
【発明の概要】
【０００７】
しかしながら、このような従来の技術のうち剛性を有する覆いを用いたものの場合は、密閉されたキャビティ内の空気から酸素を除去するものであるので、皮膚の上方の空間に陰圧を生じさせることはできるが、皮膚よりも内側に大きな陰圧を生じさせることはできない。
【０００８】
また、ゴム製の覆いを用いるものの場合には、空気中の酸素を除去するのではなく、覆いと皮膚との間に形成されるキャビティから空気自体を減圧するものであるが、やはり皮膚よりも内側に大きな陰圧を生じさせることはできない。
【０００９】
また、吸い玉は、皮膚と吸い玉との気密性を高く保つ必要があること、皮膚の外側から皮膚表面を強く吸引することなどから施術時間は数分から数十分程度と短時間である。それでも皮膚下に内出血を起こして赤や紫色の跡が残ることがある。
【００１０】
本願の発明者は、皮膚下の細胞の新陳代謝を促進して細胞を活性化させることができるような大きい陰圧を、皮膚を外側から吸引することなく皮膚下に生じさせ、且つ、長時間に亘って大きな陰圧を発生させても不都合のない従来技術が存在しないことを認識して本願発明を成した。その本願発明の目的とするところは、皮膚下の細胞の新陳代謝を促進させ、細胞を活性化させることができるだけの陰圧を長時間に亘って不都合なく皮膚下に生じさせることができる、極めて簡易な構造で、容易に使用することができる皮膚下陰圧維持具を提供することにある。
【００１１】
かかる目的を達成するための本発明の要旨とするところは、次の各項の発明に存する。
［１］皮膚下に陰圧が生じた状態を維持して、皮膚下の細胞の新陳代謝を促進させる皮膚下陰圧維持具であって、
皮膚に貼り付けておく貼着部と、皮膚の上に置いて前記貼着部を所定位置に保持するための保持部と、を有し、
皮膚に貼り付けたままの前記貼着部を持ち上げた状態に前記保持部で前記所定位置に保持して、前記持ち上げた皮膚下に陰圧が生じた状態を維持する皮膚下陰圧維持具。
【００１２】
［２］皮膚下に陰圧が生じた状態を維持して、皮膚下の細胞の新陳代謝を促進させる皮膚下陰圧維持具であって、
皮膚に貼り付けておく貼着部と、皮膚に貼り付けた前記貼着部の上から被せるように皮膚の上に置いて前記貼着部を所定位置に保持するための保持部と、を有し、
前記貼着部は、皮膚に接着させる接着面と、前記保持部に支持される被支持部とを有し、
前記保持部は、前記貼着部の被支持部を支持して前記貼着部を前記所定位置に保持する支持部を有し、
皮膚に貼り付けたままの前記貼着部を持ち上げ、前記保持部の支持部で前記貼着部の被支持部を支持して前記貼着部を前記所定位置に保持して、前記持ち上げた皮膚下に陰圧が生じた状態を維持する皮膚下陰圧維持具。
【００１３】
［３］前記貼着部は、プレートの片面に前記接着面を有し、もう一方の面に前記被支持部を有するものであり、
前記保持部は、皮膚に置かれる下部と、前記貼着部の被支持部を支持する支持部が形成された上部とを有するものであり、
皮膚に貼り付けた前記貼着部は、前記保持部の下部と上部との間で前記所定位置に保持されることを特徴とする［２］に記載の皮膚下陰圧維持具。
【００１４】
［４］前記貼着部の被支持部は、側面に少なくとも１つの係止溝が刻設されており、
前記保持部の支持部は、前記被支持部を挿通可能な係止開口を有し、
前記被支持部と前記係止開口とは、前記被支持部を前記係止開口に挿通した前記貼着部と前記保持部とを相対変位させると、前記被支持部の係止溝と前記保持部の係止開口の周縁とが係止して、前記貼着部を前記所定位置に保持可能となることを特徴とする［２］または［３］に記載の皮膚下陰圧維持具。
【００１５】
［５］前記貼着部の被支持部は、棒状または紐状に延びたものであり、
前記保持部の支持部は、前記被支持部を挿通可能な挿通口を有し、
前記挿通口を通した前記被支持部に取り付けて、持ち上げた貼着部が戻らないように止めておく、前記挿通口を通過しない大きさの止め具を備えたことを特徴とする［２］から［４］のいずれか一項に記載の皮膚下陰圧維持具。
【００１６】
［６］皮膚下に陰圧が生じた状態を維持して、皮膚下の細胞の新陳代謝を促進させる皮膚下陰圧維持具であって、
皮膚に貼り付けておく貼着部と、皮膚の上に置いて前記貼着部を所定位置に保持するための保持部と、を有し、
前記貼着部は、皮膚に接着させる接着面を有し、該接着面が前記保持部の上部と下部との間に位置するように、前記保持部に固定され、
前記保持部は弾性を有するものであり、
前記接着面を皮膚に貼り付けたままの前記貼着部を前記保持部の弾性に因る復元力によって前記所定位置まで持ち上げた状態に保持して、前記持ち上げた皮膚下に陰圧が生じた状態を維持する皮膚下陰圧維持具。
【００１７】
［７］皮膚下に陰圧が生じた状態を維持して、皮膚下の細胞の新陳代謝を促進させる皮膚下陰圧維持具であって、
皮膚に貼り付けておく貼着部と、皮膚に貼り付けた前記貼着部を所定位置に保持するための保持部と、を有し、
前記貼着部は、皮膚に接着させる接着面を一端に設け、もう一端が前記保持部の上部に固定された固定部を有し、
前記接着面は、前記保持部の上部と皮膚に置かれる下部との間に位置し、
前記保持部は弾性を有するものであり、
前記接着面を皮膚に貼り付けたままの前記貼着部を前記保持部の弾性に因る復元力によって前記所定位置まで持ち上げた状態に保持して、前記持ち上げた皮膚下に陰圧が生じた状態を維持する皮膚下陰圧維持具。
【００１８】
［８］前記固定部が固定された前記保持部の上部は、前記下部から離れる方向に突き出た形状であることを特徴とする［７］に記載の皮膚下陰圧維持具。
【００１９】
［９］皮膚下に陰圧が生じた状態を維持して、皮膚下の細胞の新陳代謝を促進させる皮膚下陰圧維持具であって、
皮膚に貼り付けておく貼着部と、皮膚の上に置いて前記貼着部を所定位置に保持するための保持部と、からなり、
前記保持部は弾性を有するものであり、
前記貼着部は、前記保持部の上部のうち皮膚上に置いた前記保持部が皮膚に対向する側の天井面に設けられた接着面を有し、
前記接着面を皮膚に貼り付けたままの前記貼着部を前記保持部の弾性に因る復元力によって前記所定位置まで持ち上げた状態に保持して、前記持ち上げた皮膚下に陰圧が生じた状態を維持する皮膚下陰圧維持具。
【００２０】
［１０］前記貼着部の接着面は、皮膚を接着するための接着剤が塗布されていることを特徴とする［２］から［９］のいずれか一項に記載の皮膚下陰圧維持具。
【００２１】
［１１］前記貼着部の接着面は、皮膚を接着するための接着テープが貼り付けられることを特徴とする［２］から［９］のいずれか一項に記載の皮膚下陰圧維持具。
【００２２】
前記本発明は次のように作用する。  
皮膚下陰圧維持具を使用する際には、先ず、貼着部を皮膚に貼り付ける。貼着部は、皮膚に接着する接着面に接着剤を塗布してあるので、皮膚に容易に接着することができる。
【００２３】
次に、皮膚に貼り付けた貼着部を保持するための保持部を皮膚の上に置き、貼着部を皮膚に貼り付けたままに持ち上げておき、保持部で貼着部を所定位置に保持する。これにより、持ち上げられ、引っ張られた皮膚下には、皮膚下の細胞の新陳代謝を促進させ、細胞を活性化させることができるだけの陰圧が生じ、この陰圧が生じている状態を維持させることができる。
【００２４】
貼着部の接着面には、接着剤を塗布してもよいし、両面テープを貼り付けてもよい。このような貼着部は、例えば、合成樹脂等によって形成されたプレートの片面を接着面とし、もう一方の面に被支持部を有するようにしたものである。被支持部は、例えば、横断面が楕円形の棒状のものであり、プレートと一体に形成してもよいし、プレートとは別体に形成したものをプレートに固着したものであってもよい。
【００２５】
この被支持部を支持して保持する保持部は、例えば、横断面が円形の植木鉢のような、円錐台のような形状をしたものである。開口となっている下部は、皮膚に貼り付けた貼着部の上から被せるようにして保持部を皮膚の上に置くときに皮膚に触れる側であり、皮膚に置いた状態で上になる上部に形成された支持部によって貼着部の被支持部を支持する。
【００２６】
この支持部は、貼着部の棒状に形成された被支持部の横断面の形状と同形か、または僅かに大きい相似形の係止開口が形成されている。前記に例示したように、被支持部が楕円の横断面形状を有するものである場合は、係止開口の形状も楕円である。
【００２７】
この係止開口に貼着部を挿通した状態では、係止開口の楕円の長径（または短径）の延びる方向と被支持部の楕円形横断面の長径（または短径）の延びる方向とはほぼ一致している。係止開口に挿通した貼着部の被支持部を引っ張ると、貼着部が貼り付いている皮膚が持ち上がる。
【００２８】
次に、被支持部の側面に刻設された係止溝と保持部の支持部に穿設された係止開口とをほぼ同じ位置にしてから、保持部を回して係止溝と係止開口とを相対変位させると、保持部側の係止開口の周縁部と被支持部の係止溝とが係止するので、引っ張られている皮膚が戻ろうとする力に抗して、貼着部をその位置（所定位置）に保持することができる。これにより、皮膚が引っ張られ、持ち上げられている状態を維持することができる。
【００２９】
皮膚下陰圧維持具を取り外すときは、被支持部を引っ張って、貼着部の接着面を皮膚から剥がせばよい。
【００３０】
なお、被支持部は、係止溝の刻設されていない棒状のものであってもよいし、紐状のものであってもよい。この場合、係止開口と同様な位置に穿設された挿通口に被支持部を通し、被支持部を引っ張って皮膚を持ち上げた状態で被支持部に止め具を取り付けておくことにより、前記と同様に皮膚下に陰圧が生じた状態を維持しておくことができる。
【００３１】
また、貼着部の被支持部と保持部の係止開口との関係は、係止開口の形状が被支持部の挿通を可能にするとともに、係止開口に被支持部を挿通した状態で保持部と貼着部とを相対回転するなどして相対変位させたときに、係止開口の周縁と被支持部に刻設された係止溝とが係止するような関係にあればよく、その形状は前記のような楕円等に限られるものではない。
【００３２】
また、貼着部のプレートは、真円の他、楕円や多角形でもよく、保持部は、その横断面に現れる、側面によって囲まれた形状がプレートの形状と相似形であることが好ましい。
【００３３】
また、貼着部が皮膚に接着させる接着面を有し、該接着面が保持部の上部と下部との間に位置するように保持部に固定されているものでは、皮膚下陰圧維持具の下部側を皮膚の上に置いてから接着面が皮膚に向かう方向に皮膚下陰圧維持具を指で押込んで接着面を皮膚に接着させる。
【００３４】
接着面が皮膚に接着したら皮膚下陰圧維持具を押込んでいた指を離せばよい。押込む力が除かれた皮膚下陰圧維持具は、その弾性に因る復元力によって元の形状に戻ろうとする。これにより、接着面に貼着している皮膚は元の位置に戻ろうとする接着面によって所定位置まで持ち上げられて、その状態が保持され、以って、持ち上げられた皮膚下に陰圧が生じた状態が維持される。
【００３５】
皮膚に接着させる接着面を一端に設け、もう一端が保持部の上部に固定された固定部を有するものの場合には、皮膚下陰圧維持具の下部側を皮膚に置いてから保持部の上部を皮膚に向かって押込むことにより、接着面を皮膚に貼着させればよい。
【００３６】
同様に、保持部を皮膚上に置いたとき、保持部の上部のうち皮膚に対向する側の天井面に接着面を有する貼着部を設けたものの場合にも、上部を皮膚に向かって押込んで、接着面を皮膚に貼着させればよい。
【００３７】
本発明にかかる皮膚下陰圧維持具によれば、皮膚に貼着部を貼り付けて、貼着部を持ち上げることによって皮膚を持ち上げて皮膚下に陰圧を生じさせ、貼着部を保持部に保持させることにより、皮膚下に陰圧の生じた状態を維持することが容易にできる。このように皮膚下に陰圧が生じたままの状態を維持すると、陰圧がかかっている皮膚下では、陰圧による力を受け続ける細胞の新陳代謝を促進させ、細胞を活性化させることができる。これにより、皮膚に現れたしみなどの消失を促すことができる。
【００３８】
また、皮膚下陰圧維持具は、皮膚に貼り付ける貼着部と、この貼着部を保持する保持部だけから成るので、極めて簡易な構造のものとすることができる。
【００３９】
また、皮膚の外側に密閉空間を作って該密閉空間を減圧して皮膚を吸引する必要がないので、皮膚に優しく、且つ、皮膚に使用する箇所を選ばず、さらに、長時間に亘って継続使用することができるので、細胞の新陳代謝を促進させ、細胞を活性化させる効果が向上する。
【００４０】
さらに、被支持部に複数の係止溝を設けたものによれば、皮膚を引き上げる度合いを適宜に選択することができるので、陰圧の大小を適宜に調節することができる。
【図面の簡単な説明】
【００４１】
【図１】本発明の第１の実施の形態に係る皮膚下陰圧維持具を示す斜視図である。
【図２】図１の皮膚下陰圧維持具の保持部を示す斜視図である。
【図３】図１の皮膚下陰圧維持具の貼着部を示す斜視図である。
【図４】図１の皮膚下陰圧維持具の保持部が貼着部を保持している状態を示す平面図である。
【図５】本発明の実施の形態に係る皮膚下陰圧維持具によって皮膚下に陰圧の発生した状態を１４日間継続した後の組織切片を示す写真図であり、（ａ）は、皮膚下陰圧維持具を装着した部分の組織を示し、（ｂ）は、皮膚下陰圧維持具を装着した部分の近傍皮膚の組織を示す。
【図６】図５の（ａ）および（ｂ）と同一の組織切片を拡大して示す写真図である。
【図７】図５の（ａ）および（ｂ）と同一の組織切片を拡大して示す写真図であり、図６よりもさらに拡大したものである。
【図８】本発明の第２の実施の形態に係る皮膚下陰圧維持具を示す斜視図である。
【図９】本発明の第２の実施の形態に係る皮膚下陰圧維持具と同タイプのものの作用を説明する摸式図である。
【図１０】本発明の第３の実施の形態に係る皮膚下陰圧維持具を示す正面図である。
【図１１】図１０の皮膚下陰圧維持具の平面図である。
【図１２】図１０の皮膚下陰圧維持具の底面図である。
【発明を実施するための形態】
【００４２】
以下、図面に基づき本発明の好適な各種の実施の形態を説明する。  
図１は、本発明の第１の実施の形態を示す斜視図であり、皮膚下陰圧維持具１を実際に使用しているときの様子を示すものである。図２は、図１の皮膚下陰圧維持具１の保持部２０を示す斜視図である。図３は、図１の皮膚下陰圧維持具１の貼着部１０を示す斜視図である。図４は、図１の皮膚下陰圧維持具１の保持部２０が貼着部１０を保持している状態を示す平面図である。
【００４３】
図１〜図３に示すように、皮膚下陰圧維持具１は、大きく分けて２つの部分から成る。すなわち、皮膚Ｓに貼り付けておく貼着部１０と、皮膚Ｓに貼り付けた貼着部１０の上から被せるように皮膚Ｓの上に置いて貼着部１０を所定位置に保持するための保持部２０とから成る。
【００４４】
貼着部１０および保持部２０は、ある程度の硬度を持った素材によって作られていればよく、例えばプラスチック等の合成樹脂や金属などから作られている。この貼着部１０は、皮膚Ｓに貼り付ける円板状のプレート１１と保持部２０に支持される被支持部１２とを有している。
【００４５】
プレート１１は、片面が皮膚Ｓに接着させる接着面１１ａであり、もう一方の被支持部取付け面１１ｂの中心部からは横断面が楕円形の棒状に形成された前記被支持部１２が延びている。接着面１１ａには、皮膚Ｓに貼り付けることができる不図示の接着剤が塗布されている。なお、接着面１１ａに接着剤を塗布する代わりに両面に接着面を持つ不図示の両面テープを貼付しておいてもよい。
【００４６】
被支持部１２は、プレート１１と一体に形成したものでもよいし、プレート１１とは別体に作ったものをプレート１１の被支持部取付け面１１ｂに固定したものでもよい。被支持部１２の側面には、切込みである係止溝１２ａが被支持部１２の長手方向に沿って等間隔に刻設されている。この係止溝１２ａは、被支持部１２の横断面の楕円形の長径が交差する所が最も深く切り込まれており、次に説明する保持部２０に設けられた係止開口２３ａに係止させることができるものである。図示した例では、被支持部１２の延びる方向に沿って側面の複数個所に係止溝１２ａが刻設されているが、被支持部１２の側面の少なくとも一箇所に刻設されていればよい。
【００４７】
貼着部１０を所定位置に保持する保持部２０は、図１および図２に例示したものでは、側面部２４に囲まれた内側の形状が横断面に円形として現れる植木鉢のような、円錐台のような形状をしている。この保持部２０は、図示したように開口となっている下部２１を下にして、皮膚Ｓに貼り付けた貼着部１０の上から被せるようにして皮膚Ｓ上に置いて使用するものである。
【００４８】
下部２１からは側面部２４が延び、円形の平面状に形成された上部２２の中央部には被支持部１２を支持するための支持部２３が設けられている。図示した例では、貼着部１０のプレート１１の直径は、保持部２０の下部２１の開口の直径よりも小さく、上部２２の直径よりも大きくなっているが、上部２２の直径よりも小さくしてもよい。また、貼着部１０の被支持部１２の長さは、保持部２０の下部２１から上部２２までの高さよりも大きいものになっている。
【００４９】
支持部２３には、楕円形の係止開口２３ａが穿設されている。この係止開口２３ａは、周縁を貼着部１０の被支持部１２と係止させて貼着部１０を支持するためのものであり、その楕円形状は、被支持部１２の横断面の楕円形状とほぼ同一か、または僅かに大きい相似形に形成されている。
【００５０】
このため被支持部１２を係止開口２３ａに通しただけでは係止開口２３ａと係止溝１２ａとは係止しないが、係止開口２３ａと係止溝１２ａとを係止可能な位置に合わせて貼着部１０と保持部２０とを相対的に回転させることにより、図４に示したように係止開口２３ａと係止溝１２ａとを係止させることができる。
【００５１】
このように貼着部１０は、被支持部１２を係止開口２３ａに通して、係止溝１２ａと係止開口２３ａとを係止させることにより、その位置（所定位置）に保持することができる。
【００５２】
次に第１の実施の形態の作用を説明する。  
皮膚下陰圧維持具１を使用する際には、先ず、貼着部１０の接着面１１ａを覆っているシートを剥がして接着剤または両面テープの接着面を露出させてから貼着部１０を皮膚Ｓの所望の場所に貼り付ける。接着面１１ａに接着剤を塗布しておらず、また、両面テープを貼付していないものの場合には、別に接着面１１ａに貼付する両面テープを付属しておき、使用の度に両面テープを接着面１１ａに貼付してから皮膚Ｓに貼着部１０を貼り付けるようにしてもよい。
【００５３】
次に、皮膚Ｓに貼り付けた貼着部１０の上から保持部２０を被せるようにして皮膚Ｓの上に置く。この際、貼着部１０の被支持部１２が保持部２０の係止開口２３ａを通るように被支持部１２と係止開口２３ａとの位置を合わせた状態で保持部２０を被せる。
【００５４】
このようにして保持部２０を皮膚Ｓ上に被せると、被支持部１２の先端部が係止開口２３ａから突き出た状態になる。この係止開口２３ａから突き出た被支持部１２の先端部を手で持って被支持部１２を係止開口２３ａからさらに引っ張り出すようにすると、貼着部１０に貼り付いた皮膚Ｓが持ち上げられる。皮膚Ｓを所望する所定位置まで持ち上げたら、被支持部１２の係止溝１２ａと保持部２０の係止開口２３ａとをそれらが互いに係止可能となる位置まで貼着部１０と保持部２０との位置を微調整する。
【００５５】
この状態では、係止開口２３ａの楕円の長径（または短径）の延びる方向と被支持部１２の楕円形横断面の長径（または短径）の延びる方向とはほぼ一致しているので、係止溝１２ａと係止開口２３ａとは係止しない。係止溝１２ａと係止開口２３ａとを係止させるためには、係止溝１２ａと係止開口２３ａとが係止可能な位置に調整した後に、係止溝１２ａと係止開口２３ａとが確実に係止するところまで貼着部１０と保持部２０を相対回転すればよい。
【００５６】
このようにして、係止溝１２ａと係止開口２３ａの周縁部とを係止させると、貼着部１０を持ち上げていた手を離しても、引っ張られている皮膚Ｓが戻ろうとする力に抗して、貼着部１０をその所定位置に保持することができる。なお、貼着部１０と保持部２０を相対回転するときは、貼着部１０を回転させるのではなく、保持部２０を回転させることが好ましい。これにより、回転中に皮膚Ｓから貼着部１０が剥がれてしまう可能性がほぼなくなる。
【００５７】
これにより、持ち上げられ、引っ張られた状態に維持される皮膚Ｓは、その皮膚Ｓ下に陰圧が生じ、その状態が維持される。このようにして陰圧が維持された皮膚下では、図５〜図７に示したように、細胞の状態が変化していることが分かる。
【００５８】
皮膚下陰圧維持具１を皮膚Ｓから取り外すときは、被支持部１２を引っ張り、保持部２０と貼着部１０とを相対回転させてそれらの係止状態を解除してから保持部２０を取り外すことにより、貼着部１０の接着面１１ａを皮膚Ｓから剥がすことができる。また、保持部２０をそのままにした状態で被支持部１２を捩じりながら引っ張ることにより、貼着部１０の接着面１１ａを皮膚Ｓから剥がしてもよい。
【００５９】
図５〜図７は、本願発明に係る皮膚下陰圧維持具１をマウスの背尾部の皮膚に装着して、皮膚下に陰圧を生じさせた状態を１４日間継続した後、皮膚および皮下組織を採取して、その組織切片をＨＥ染色したものである。各図の右下に示したスケールバー（Scale Bar）は、その長さが１００μｍである。
【００６０】
図５の（ａ）は、皮膚下陰圧維持具１を装着した部分の組織を示し、図５の（ｂ）は、皮膚下陰圧維持具１を装着した部分の近傍皮膚の組織を示している。図６の（ａ）および図７の（ａ）は、それぞれ図５の（ａ）を拡大したものである。図６の（ｂ）および図７の（ｂ）は、それぞれ図５の（ｂ）を拡大したものである。
【００６１】
採取した組織切片を皮膚厚、瘢痕形成、血管数について評価をした結果、図５〜図７より明らかなように、皮下脂肪層の線維化が見られるとともに皮下脂肪層および筋層の厚みが増していることが確認できた。
【００６２】
このように、本実施の形態に係る皮膚下陰圧維持具１によれば、皮膚下に陰圧の生じた状態を継続させることにより、皮膚下の細胞の新陳代謝を促進し、細胞を活性化させることができるので、皮膚に現れたシミなどの消失を促すことができる。
【００６３】
また、本実施の形態に係る皮膚下陰圧維持具１によれば、皮膚に貼り付ける貼着部１０と、この貼着部１０を保持する保持部２０だけから成るので、極めて簡易な構造のものとすることができる。
【００６４】
さらに、本実施の形態に係る皮膚下陰圧維持具１によれば、皮膚の外側に密閉空間を作って該密閉空間を減圧して皮膚を吸引する必要がないので、皮膚に優しく、且つ、皮膚に使用する箇所を選ばず、さらに、長時間に亘って継続使用することができるので、細胞の新陳代謝を促進させ、細胞を活性化させる効果が持続し、向上する。
【００６５】
さらに、被支持部１２に高さの異なる複数の係止溝１２ａを設けたものによれば、皮膚を引き上げる度合いを適宜に選択することができるので、陰圧の大小を適宜に調節することができる。
【００６６】
なお、本発明の実施の形態を図面によって説明してきたが、具体的な構成は前述した実施の形態に限られるものではなく、本発明の要旨を逸脱しない範囲における変更や追加があっても本発明に含まれる。例えば、貼着部１０のプレート１１を円形のものとし、保持部２０は、横断面に現れる側面部２４が囲む空間の形状が円形である植木鉢状のものとしたが、それらは円形に限られることなく、楕円形や多角形であってもよい。
【００６７】
また、保持部２０の横断面に現れる側面部２４が囲む空間の形状は、プレート１１の形状と相似形であることが好ましいが必ずしも相似形である必要はない。
【００６８】
また、貼着部１０の被支持部１２の横断面形状および保持部２０の係止開口２３ａの形状は、楕円形でなく三角形や四角形その他の多角形等であってもよい。すなわち、貼着部１０の被支持部１２と保持部２０の係止開口２３ａとの関係は、係止開口２３ａの形状が被支持部１２の挿通を可能にするとともに、係止開口２３ａに被支持部１２を挿通した状態で保持部２０と貼着部１０とを相対回転させたときに、係止開口２３ａの周縁と被支持部１２に刻設された係止溝１２ａとが係止するような関係にあれば、その形状はどのようなものであってもよい。
【００６９】
さらに、被支持部１２の長手方向に沿って刻設した係止溝１２ａは、等間隔に刻設しなくてもよく、例えば、プレート１１側から先端部に近付くにしたがって間隔を狭くしてもよい。
【００７０】
また、貼着部１０の被支持部１２は、係止溝１２ａを刻設していない棒状のものであってもよいし、紐状に延びたものでもよい。この場合、保持部２０の支持部２３には、被支持部１２の横断面の形状に限定されない形状の開口で被支持部１２を通すことができる挿通口を係止開口２３ａと同様の位置に穿設し、この挿通口を通して保持部２０の上に出した被支持部１２に挿通口を通過しない大きさの止め具を取り付けて、持ち上げた貼着部１０が皮膚に引っ張られて戻らないように止めておくようにしてもよい。
【００７１】
また、貼着部１０の被支持部１２に雄螺子部を刻設して、保持部２０の挿通口に螺合するようにしてもよい。
【００７２】
あるいは、貼着部１０の被支持部１２は、被支持部取付け面１１ｂから延びる複数本の紐状のものでもよい。この場合、保持部２０の上部２２の一面に前記複数本の紐状のものと同数の開口を穿設し、これらの開口に前記複数本の紐状のものを通すようにすればよい。持ち上げた貼着部１０が戻らずに適切な位置に留めておくためには、単に紐を結わっておくだけでもよいし、上部２２に当たる止め具によって留めておくようにしてもよい。
【００７３】
また、貼着部１０は、プレート１１に代えて、シリコンゴム等のシリコン含有素材、天然ゴム、柔軟性のある合成樹脂等によって作られた吸盤を有するものであってもよい。この場合、吸盤が皮膚と接触する面に接着剤を塗布してもよいし、接着テープを貼り付けておいてもよい。
【００７４】
また、図１および図２においては、保持部２０の上部２２を平面状であるように示したが、中心の係止開口２３ａに向かって盛り上がるように傾斜したものであってもよい。
さらに、この傾斜に略合致するように貼着部１０のプレート１１の被支持部取付け面１１ｂを傾斜したものとすることによって貼着部１０を持ち上げたときに貼着部１０の収まりを良くすることができる。
【００７５】
図８は、本発明の第２の実施の形態に係る皮膚下陰圧維持具を示す斜視図である。  
なお、第１の実施の形態と同種の部位には同一符号を付し重複した説明を省略する。
【００７６】
本実施の形態に係る皮膚下陰圧維持具１Ａでは、貼着部１０を保持部２０Ａに固定したものであり、保持部２０Ａは弾性を有するものから成っている。例えば、種々の合成樹脂であって、力を加えて曲げた状態のときに弾性による復元力が生じて元の形状に戻ろうとする素材を使用することができる。また、このような復元力を適切に発揮するものであれば、シリコンゴム等のシリコン含有素材や天然ゴムであってもよい。この弾性による復元力によって皮膚Ｓに貼り付けたままの貼着部１０を所定位置まで持ち上げた状態に維持することができる。保持部２０Ａは、成形が容易で弾性を有するような素材であればよい。
【００７７】
図８に示すように、保持部２０Ａの上部２２Ａには、第１の実施の形態に係る皮膚下陰圧維持具１に形成されているような係止開口２３ａは形成されていない。使用時にこの保持部２０Ａの天井部となる上部２２Ａには、保持部２０Ａの内側で上部２２Ａからほぼ垂直に延びる棒状の固定部１２Ａが設けられている。
【００７８】
この固定部１２Ａの一端には、第１の実施の形態と同様の円板状のプレート１１が設けられている。このプレート１１は、固定部１２Ａに取り付けられている面とは反対側の面が接着面となっている。この接着面は、皮膚下陰圧維持具１Ａの下部２１と上部２２Ａの間に位置している。
【００７９】
保持部２０Ａは、その側面に上部２２Ａの周縁部から下部２１に向かって延びる肉厚部分（図示せず）を設けてもよい。この肉厚部分は、保持部２０Ａの強度を高めると同時に復元力を大きくする効果がある。
【００８０】
なお、保持部２０Ａの上部２２Ａは、図８に示したように平面形状である必要はなく、半球状など球面の一部の形状や楕円球をその長径に直交する面で切断した形状など、保持部の上部が下部から離れる方向に突き出た形状であってもよい。このような形状にすることにより、接着面から皮膚までの距離をより大きくすることができ、以ってより大きい復元力を得ることができる。
【００８１】
次に第２の実施の形態の作用を説明する。  
図９を参照しながら、本実施の形態を使用する際の皮膚下陰圧維持具１Ａと皮膚との様子を説明する。図９では、皮膚下陰圧維持具１Ａとして同タイプの皮膚下陰圧維持具であって保持部２０Ａの上部の形状が平面形状ではなく上記のように楕円球をその長径に直交する面で切断した形状を有するものが例示されている。
【００８２】
図９の（ａ）は、皮膚下陰圧維持具１Ａを皮膚Ｓに置いたときの状態を示し、（ｂ）は、プレート１１の接着面が皮膚Ｓに付くように保持部２０Ａの上部を押込んだ状態を示し、（ｃ）は、皮膚Ｓがプレート１１の接着面に貼着した後に保持部２０Ａの上部を押込んでいた力を抜いて、保持部２０Ａがその弾性に因る復元力によって皮膚Ｓを所定位置まで持ち上げて保持している状態を示している。
【００８３】
皮膚下陰圧維持具１Ａを使用するときは、先ず、接着面を覆っているシートを剥がして接着剤または両面テープの接着面を露出させてから、（ａ）に示したように皮膚下陰圧維持具１Ａの保持部２０Ａの下部を皮膚Ｓ上の所望の位置に置く。
【００８４】
次に、（ｂ）に示したように皮膚下陰圧維持具１Ａの保持部２０Ａの上部を指などで皮膚Ｓに向けて押込んで接着面を皮膚Ｓに押し付ける。皮膚下陰圧維持具１Ａは、弾性を有するのでその弾性に因る復元力に抗して上部を押込むことになる。このようにしてプレート１１の接着面を皮膚Ｓに貼着させる。
【００８５】
プレート１１の接着面を皮膚Ｓに貼着することができたら、次に、保持部２０Ａの上部を押込んでいた指を離す。これにより、復元力に抗して押込まれていた保持部２０Ａは、（ａ）に示した状態に戻ろうとする。これにより、（ｃ）に示したように皮膚Ｓが持ち上げられ、その状態が保持される。この状態では、持ち上げられた皮膚Ｓの下に陰圧が生じている。
【００８６】
（ｃ）のように、皮膚Ｓに貼着されているプレート１１を皮膚Ｓから取り外すには、固定部１２Ａの先端に設けられたプレート１１が固定部１２Ａを介して保持部２０Ａに固定されているので、保持部２０Ａを捩じりながら皮膚から離すように持ち上げればよい。
【００８７】
本実施の形態においては、保持部２０Ａおよび貼着部１０のプレート１１を第１の実施の形態における保持部２０およびプレート１１とほぼ同じ形状のものと、上部の形状が異なるものとを図示して説明したが、保持部２０Ａおよびプレート１１は図示したものに限られず、第１の実施の形態の説明で既述したような様々な形状が可能である。
【００８８】
次に本発明の第３の実施の形態に係る皮膚下陰圧維持具を説明する。図１０は、本発明の第３の実施の形態に係る皮膚下陰圧維持具を示す正面図であり、図１１は、図１０の皮膚下陰圧維持具の平面図であり、図１２は、図１０の皮膚下陰圧維持具の底面図である。
【００８９】
本実施の形態に係る皮膚下陰圧維持具１Ｂは、皮膚Ｓに貼り付けておく貼着部１０Ｂと、皮膚Ｓの上に置いて貼着部１０Ｂを所定位置に保持するための保持部２０Ｂを有する点での第１および第２の実施の形態と共通するが、貼着部１０Ｂは、保持部２０Ｂの上部２２Ｂのうち皮膚Ｓ上に置いたときに保持部２０Ｂが皮膚に対向する側の天井面２５に接着面を設けた点が異なっている。すなわち、前記各実施の形態における被支持部１２、固定部１２Ａを有していない点が主たる特徴となっている。
図示した皮膚下陰圧維持具１Ｂは、半球状の形状部分を有するヘルメットに類似した形状のものであり、皮膚に置かれる下部２１Ｂは、帽子のつばのように外側にやや径が大きくなっている。これにより、上部２２Ｂを皮膚に向けて押込んで行くときや、接着面を皮膚Ｓに貼り付けたままの貼着部１０Ｂを保持部２０Ｂの弾性に因る復元力によって所定位置まで持ち上げて保持している状態が安定したものになる。
皮膚下陰圧維持具１Ｂは、図示したものに限られず、上方から見た平面形状あるいは下方から見た形状が円以外にも、多角形や楕円形であってもよい。
なお、本実施の形態の作用や使用方法は、第２の実施の形態と同様であるので説明を省略する。
前記の各実施の形態において、貼着部や接着剤は、皮膚に直接に接触するものであるので、実施においてはアレルギーが起こらないようなものを使用することとなる。
【符号の説明】
【００９０】
Ｓ…皮膚
１，１Ａ，１Ｂ…皮膚下陰圧維持具
１０，１０Ｂ…貼着部
１１…プレート
１１ａ…接着面
１１ｂ…被支持部取付け面
１２…被支持部
１２ａ…係止溝
１２Ａ…固定部
２０，２０Ａ，２０Ｂ…保持部
２１，２１Ｂ…下部
２２，２２Ａ，２２Ｂ…上部
２３…支持部
２３ａ…係止開口
２４…側面部
２５…天井面
【図１】
2009125837.tif 000003
【図２】
2009125837.tif 000004
【図３】
2009125837.tif 000005
【図４】
2009125837.tif 000006
【図５】
2009125837.tif 000007
【図６】
2009125837.tif 000008
【図７】
2009125837.tif 000009
【図８】
2009125837.tif 000010
【図９】
2009125837.tif 000011
【図１０】
2009125837.tif 000012
【図１１】
2009125837.tif 000013
【図１２】
2009125837.tif 000014
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
（削除）
【請求項２】
皮膚（Ｓ）下に陰圧が生じた状態を維持して、皮膚（Ｓ）下の細胞の新陳代謝を促進させる皮膚下陰圧維持具（１）であって、
皮膚（Ｓ）に貼り付けておく貼着部（１０）と、皮膚（Ｓ）に貼り付けた前記貼着部（１０）の上から被せるように皮膚（Ｓ）の上に置いて前記貼着部（１０）を所定位置に保持するための保持部（２０）と、を有し、
前記貼着部（１０）は、皮膚（Ｓ）に接着させる接着面と、前記保持部（２０）に支持される被支持部（１２）とを有し、
前記保持部（２０）は、前記貼着部（１０）の被支持部（１２）を支持して前記貼着部（１０）を前記所定位置に保持する支持部（２３）を有し、
皮膚（Ｓ）に貼り付けたままの前記貼着部（１０）を持ち上げ、前記保持部（２０）の支持部（２３）で前記貼着部（１０）の被支持部（１２）を支持して前記貼着部（１０）を前記所定位置に保持して、前記持ち上げた皮膚（Ｓ）下に陰圧が生じた状態を維持する皮膚下陰圧維持具（１）。
【請求項３】
前記貼着部（１０）は、プレート（１１）の片面に前記接着面を有し、もう一方の面に前記被支持部（１２）を有するものであり、
前記保持部（２０）は、皮膚（Ｓ）に置かれる下部（２１）と、前記貼着部（１０）の被支持部（１２）を支持する支持部（２３）が形成された上部（２２）とを有するものであり、
皮膚（Ｓ）に貼り付けた前記貼着部（１０）は、前記保持部（２０）の下部（２１）と上部（２２）との間で前記所定位置に保持されることを特徴とする請求項２に記載の皮膚下陰圧維持具（１）。
【請求項４】
前記貼着部（１０）の被支持部（１２）は、側面に少なくとも１つの係止溝（１２ａ）が刻設されており、
前記保持部（２０）の支持部（２３）は、前記被支持部（１２）を挿通可能な係止開口（２３ａ）を有し、
前記被支持部（１２）と前記係止開口（２３ａ）とは、前記被支持部（１２）を前記係止開口（２３ａ）に挿通した前記貼着部（１０）と前記保持部（２０）とを相対変位させると、前記被支持部（１２）の係止溝（１２ａ）と前記保持部（２０）の係止開口（２３ａ）の周縁とが係止して、前記貼着部（１０）を前記所定位置に保持可能となることを特徴とする請求項２または３に記載の皮膚下陰圧維持具（１）。
【請求項５】
前記貼着部（１０）の被支持部（１２）は、棒状または紐状に延びたものであり、
前記保持部（２０）の支持部（２３）は、前記被支持部（１２）を挿通可能な挿通口を有し、
前記挿通口を通した前記被支持部（１２）に取り付けて、持ち上げた貼着部（１０）が戻らないように止めておく、前記挿通口を通過しない大きさの止め具を備えたことを特徴とする請求項２から４のいずれか一項に記載の皮膚下陰圧維持具（１）。
【請求項６】
皮膚（Ｓ）下に陰圧が生じた状態を維持して、皮膚（Ｓ）下の細胞の新陳代謝を促進させる皮膚下陰圧維持具（１Ａ）であって、
皮膚（Ｓ）に貼り付けておく貼着部（１０）と、皮膚（Ｓ）の上に置いて前記貼着部（１０）を所定位置に保持するための保持部（２０Ａ）と、を有し、
前記貼着部（１０）は、皮膚（Ｓ）に接着させる接着面を有し、該接着面が前記保持部（２０Ａ）の上部（２２Ａ）と下部（２１）との間に位置するように、前記保持部（２０Ａ）に固定され、
前記保持部（２０Ａ）は弾性を有するものであり、
前記接着面を皮膚（Ｓ）に貼り付けたままの前記貼着部（１０）を前記保持部（２０Ａ）の弾性に因る復元力によって前記所定位置まで持ち上げた状態に保持して、前記持ち上げた皮膚（Ｓ）下に陰圧が生じた状態を維持する皮膚下陰圧維持具（１Ａ）。
【請求項７】
皮膚（Ｓ）下に陰圧が生じた状態を維持して、皮膚（Ｓ）下の細胞の新陳代謝を促進させる皮膚下陰圧維持具（１Ａ）であって、
皮膚（Ｓ）に貼り付けておく貼着部（１０）と、皮膚（Ｓ）に貼り付けた前記貼着部（１０）を所定位置に保持するための保持部（２０Ａ）と、を有し、
前記貼着部（１０）は、皮膚（Ｓ）に接着させる接着面を一端に設け、もう一端が前記保持部（２０Ａ）の上部（２２Ａ）に固定された固定部（１２Ａ）を有し、
前記接着面は、前記保持部（２０Ａ）の上部（２２Ａ）と皮膚に置かれる下部（２１）との間に位置し、
前記保持部（２０Ａ）は弾性を有するものであり、
前記接着面を皮膚（Ｓ）に貼り付けたままの前記貼着部（１０）を前記保持部（２０Ａ）の弾性に因る復元力によって前記所定位置まで持ち上げた状態に保持して、前記持ち上げた皮膚（Ｓ）下に陰圧が生じた状態を維持する皮膚下陰圧維持具（１Ａ）。
【請求項８】
前記固定部（１２Ａ）が固定された前記保持部（２０Ａ）の上部（２２Ａ）は、前記下部（２１）から離れる方向に突き出た形状であることを特徴とする請求項７に記載の皮膚下陰圧維持具（１Ａ）。
【請求項９】
皮膚（Ｓ）下に陰圧が生じた状態を維持して、皮膚（Ｓ）下の細胞の新陳代謝を促進させる皮膚下陰圧維持具（１Ｂ）であって、
皮膚（Ｓ）に貼り付けておく貼着部（１０Ｂ）と、皮膚（Ｓ）の上に置いて前記貼着部（１０Ｂ）を所定位置に保持するための保持部（２０Ｂ）と、からなり、
前記保持部（２０Ｂ）は弾性を有するものであり、
前記貼着部（１０Ｂ）は、前記保持部（２０Ｂ）の上部（２２Ｂ）のうち皮膚（Ｓ）上に置いた前記保持部（２０Ｂ）が皮膚に対向する側の天井面（２５）に設けられた接着面を有し、
前記接着面を皮膚（Ｓ）に貼り付けたままの前記貼着部（１０Ｂ）を前記保持部（２０Ｂ）の弾性に因る復元力によって前記所定位置まで持ち上げた状態に保持して、前記持ち上げた皮膚（Ｓ）下に陰圧が生じた状態を維持する皮膚下陰圧維持具（１Ｂ）。
【請求項１０】
前記貼着部（１０，１０Ｂ）の接着面は、皮膚（Ｓ）を接着するための接着剤が塗布されていることを特徴とする請求項２から９のいずれか一項に記載の皮膚下陰圧維持具（１，１Ａ，１Ｂ）。
【請求項１１】
前記貼着部（１０，１０Ｂ）の接着面は、皮膚（Ｓ）を接着するための接着テープが貼り付けられることを特徴とする請求項２から９のいずれか一項に記載の皮膚下陰圧維持具（１，１Ａ，１Ｂ）。
【手続補正２】
【補正対象書類名】明細書
【補正対象項目名】０００２
【補正方法】変更
【補正の内容】
【０００２】
［０００６］
特許文献１：特表２００７−５０９６３９号公報
発明の概要
［０００７］
しかしながら、このような従来の技術のうち剛性を有する覆いを用いたものの場合は、密閉されたキャビティ内の空気から酸素を除去するものであるので、皮膚の上方の空間に陰圧を生じさせることはできるが、皮膚よりも内側に大きな陰圧を生じさせることはできない。
［０００８］
また、ゴム製の覆いを用いるものの場合には、空気中の酸素を除去するのではなく、覆いと皮膚との間に形成されるキャビティから空気自体を減圧するものであるが、やはり皮膚よりも内側に大きな陰圧を生じさせることはできない。
［０００９］
また、吸い玉は、皮膚と吸い玉との気密性を高く保つ必要があること、皮膚の外側から皮膚表面を強く吸引することなどから施術時間は数分から数十分程度と短時間である。それでも皮膚下に内出血を起こして赤や紫色の跡が残ることがある。
［００１０］
本願の発明者は、皮膚下の細胞の新陳代謝を促進して細胞を活性化させることができるような大きい陰圧を、皮膚を外側から吸引することなく皮膚下に生じさせ、且つ、長時間に亘って大きな陰圧を発生させても不都合のない従来技術が存在しないことを認識して本願発明を成した。その本願発明の目的とするところは、皮膚下の細胞の新陳代謝を促進させ、細胞を活性化させることができるだけの陰圧を長時間に亘って不都合なく皮膚下に生じさせることができる、極めて簡易な構造で、容易に使用することができる皮膚下陰圧維持具を提供することにある。
［００１１］
かかる目的を達成するための本発明の要旨とするところは、次の各項の発明に存する。
【手続補正３】
【補正対象書類名】明細書
【補正対象項目名】０００３
【補正方法】変更
【補正の内容】
【０００３】
［００１２］
［２］皮膚下に陰圧が生じた状態を維持して、皮膚下の細胞の新陳代謝を促進させる皮膚下陰圧維持具であって、
皮膚に貼り付けておく貼着部と、皮膚に貼り付けた前記貼着部の上から被せるように皮膚の上に置いて前記貼着部を所定位置に保持するための保持部と、を有し、
前記貼着部は、皮膚に接着させる接着面と、前記保持部に支持される被支持部とを有し、
前記保持部は、前記貼着部の被支持部を支持して前記貼着部を前記所定位置に保持する支持部を有し、
皮膚に貼り付けたままの前記貼着部を持ち上げ、前記保持部の支持部で前記貼着部の被支持部を支持して前記貼着部を前記所定位置に保持して、前記持ち上げた皮膚下に陰圧が生じた状態を維持する皮膚下陰圧維持具。
［００１３］
［３］前記貼着部は、プレートの片面に前記接着面を有し、もう一方の面に前記被支持部を有するものであり、
前記保持部は、皮膚に置かれる下部と、前記貼着部の被支持部を支持する支持部が形成された上部とを有するものであり、
皮膚に貼り付けた前記貼着部は、前記保持部の下部と上部との間で前記所定位置に保持されることを特徴とする［２］に記載の皮膚下陰圧維持具。
［００１４］
［４］前記貼着部の被支持部は、側面に少なくとも１つの係止溝が刻設されており、
前記保持部の支持部は、前記被支持部を挿通可能な係止開口を有し、
前記被支持部と前記係止開口とは、前記被支持部を前記係止開口に挿通した前記貼着部と前記保持部とを相対変位させると、前記被支持部の係止溝と前記保持部の係止開口の周縁とが係止して、前記貼着部を前記所定位置に保持可能となることを特徴とする［２］または［３］に記載の皮膚下陰圧維持
【国際調査報告】
2009125837.tif 000015
2009125837.tif 000016
2009125837.tif 000017
2009125837.tif 000018